(57)【要約】【課題】折り畳み式携帯電話のスクリーンの汚れを防止する。【解決手段】保護プレート９は、折り畳み式携帯電話のディスプレイサイド２の表示面１０およびボタンサイド６の操作面１１とほぼ同じ形状で、取り付け部１２でヒンジ４に同軸に軸支されて表示面１０および操作面１１の間に、ヒンジ４を軸として回転自在に配置されている。しかも、取り付け部１２は、弾性により力を加えれば外側へ広げることができ、保護プレート９は容易に保護プレート９をヒンジ４に対し脱着できる。通話時には、保護プレート９を表示面１０上に置きスクリーン３を保護できる。Ｅメールの利用時等には、保護プレート９を操作面１１上に置く。【選択図】      図１
2004241890.tif 000002
【特許請求の範囲】
【請求項１】
ボタンサイドと、ディスプレイサイドと、前記ボタンサイドおよびディスプレイサイドを開閉可能に連結するヒンジと、このヒンジの中心軸と同軸に軸支され前記ボタンサイドの操作面および前記ディスプレイサイドの表示面の間に配置され前記操作面に設けられたボタンに対応して開口部が設けられた保護プレートとを含むことを特徴とする折り畳み式携帯電話用スクリーン汚れ防止装置。
【請求項２】
ボタンサイドと、ディスプレイサイドと、前記ボタンサイドおよびディスプレイサイドを開閉可能に連結するヒンジと、このヒンジの中心軸と同軸に軸支され前記ボタンサイドの操作面および前記ディスプレイサイドの表示面の間に配置され前記操作面に設けられたボタンに対応して開口部が設けられた保護プレートと、この保護プレートの前記表示面の側の面の前記表示面に設けられたスクリーン以外の部分に対応する位置に設けられたディスプレイサイド側クッションと、前記保護プレートの前記操作面の側の面に設けられたボタンサイド側クッションとを含むことを特徴とする折り畳み式携帯電話用スクリーン汚れ防止装置。
【請求項３】
ボタンサイドと、ディスプレイサイドと、前記ボタンサイドおよびディスプレイサイドを開閉可能に連結するヒンジと、このヒンジに取り外し可能に取り付けられて前記ヒンジの中心軸と同軸に軸支され前記ボタンサイドの操作面および前記ディスプレイサイドの表示面の間に配置され前記操作面に設けられたボタンに対応して開口部が設けられた保護プレートとを含むことを特徴とする折り畳み式携帯電話用スクリーン汚れ防止装置。
【請求項４】
ボタンサイドと、ディスプレイサイドと、前記ボタンサイドおよびディスプレイサイドを開閉可能に連結するヒンジと、このヒンジの中心軸と同軸に軸支され前記ボタンサイドの操作面および前記ディスプレイサイドの表示面の間に配置され前記操作面に設けられたボタンに対応して開口部が設けられた保護プレートと、この保護プレートを前記表示面（または前記操作面）に押し付けるように付勢するばねと、前記保護プレートを前記操作面（または前記表示面）に接する位置で固定する係止手段とを含むことを特徴とする折り畳み式携帯電話用スクリーン汚れ防止装置。
【請求項５】
ボタンサイドと、ディスプレイサイドと、前記ボタンサイドおよびディスプレイサイドを開閉可能に連結するヒンジと、このヒンジの中心軸と同軸に軸支され前記ボタンサイドの操作面および前記ディスプレイサイドの表示面の間に配置され前記操作面に設けられたボタンに対応して開口部が設けられた保護プレートと、この保護プレートを前記ヒンジを中心として回転駆動するモータとを含むことを特徴とする折り畳み式携帯電話用スクリーン汚れ防止装置。
【請求項６】
ボタンサイドと、ディスプレイサイドと、前記ボタンサイドおよびディスプレイサイドを開閉可能に連結するヒンジと、このヒンジの中心軸と同軸に軸支され前記ボタンサイドの操作面および前記ディスプレイサイドの表示面の間に配置され前記操作面に設けられたボタンに対応して開口部が設けられた保護プレートと、この保護プレートを前記表示面に接する位置で固定するボタンサイド側磁石手段および前記操作面に接する位置で固定する操作面側磁石手段の双方またはいずれかとを含むことを特徴とする折り畳み式携帯電話用スクリーン汚れ防止装置。
【請求項７】
ボタンサイドと、ディスプレイサイドと、前記ボタンサイドおよびディスプレイサイドを開閉可能に連結するヒンジと、このヒンジの中心軸と同軸に軸支され前記ボタンサイドの操作面および前記ディスプレイサイドの表示面の間に配置され少なくとも前記ヒンジの中心軸に軸支される部分および外周を含む剛性部ならびに少なくとも前記操作面に設けられたボタンに対応する部分を含む柔軟部を有する保護プレートとを備えたことを特徴とする折り畳み式携帯電話用スクリーン汚れ防止装置。
【請求項８】
前記保護プレートの少なくとも前記表示面に設けられたスクリーンに対応する部分は透明であることを特徴とする請求項１〜７のいずれかに記載の折り畳み式携帯電話用スクリーン汚れ防止装置。
【請求項９】
前記ボタンサイドおよび前期ディスプレイサイドを相互に開き、前記ボタンサイドまたは前記ディスプレイサイドに設けられたスピーカおよびマイクロフォンを用いて通話するときは前記保護プレートを前記表示面に接して位置させ、前記スクリーンを見るときは前記保護プレートを前記操作面に接して位置させることを特徴とする請求項１〜８のいずれかに記載の折り畳み式携帯電話用スクリーン汚れ防止装置の使用方法。
【発明の詳細な説明】
【０００１】
【発明の属する技術分野】
本発明は、折り畳み式携帯電話用スクリーン汚れ防止装置およびその使用方法に関し、特に通話時にスクリーンが汚れるのを防止するようにスクリーンの前面に保護プレートを設ける折り畳み式携帯電話用スクリーン汚れ防止装置およびその使用方法に関する。
【０００２】
【従来の技術】
従来の携帯電話の汚れ防止用の保護カバーとしては、筐体自体としては折り畳まれることがない一体の筐体にスクリーンおよびタッチパネル式の操作ボタンが設けられ、これらスクリーンおよび操作ボタンを同時に覆い、同時に開放する開閉カバーが特許文献１に開示されている。
【０００３】
【特許文献１】
特開平９‐１８６７５２号公報（段落０００８および０００９ならびに図１）
【０００４】
【発明が解決しようとする課題】
特許文献１に開示された携帯電話は、スクリーンおよび操作ボタンそれぞれが別々の筐体に設けられ、これらが相互に折り畳み可能な折り畳み式形態電話ではない。
【０００５】
しかし最近は、このようなスクリーンおよび操作ボタンが相互に折り畳み可能な折り畳み式携帯電話が主流となってきている。このような折り畳み式携帯電話が主流となってきている理由の１つに、大画面のスクリーンを備えることができるという点がある。スクリーン画面のサイズは、携帯電話でのインターネットやメールの普及にともない大きくなってきている。しかしながら、通話をする際に画面が大きいと、スクリーンの汚れる率や衝撃による破損率も高くなり、インターネットやメールなどの画面を使っての操作を妨げる可能性がある。
【０００６】
このような状況において、折り畳み式携帯電話の大画面という魅力を保ったまま、スクリーンの汚れを防ぐ手段が望まれた。
【０００７】
【課題を解決するための手段】
請求項１に係る発明の折り畳み式形態電話用スクリーン汚れ防止装置は、ボタンサイド（図１の６）と、ディスプレイサイド（図１の２）と、前記ボタンサイドおよびディスプレイサイドを開閉可能に連結するヒンジ（図１の４）と、このヒンジの中心軸と同軸に軸支され前記ボタンサイドの操作面（図１の１１）および前記ディスプレイサイドの表示面（図１の１０）の間に配置され前記操作面に設けられたボタン（図１の５）に対応して開口部（図１の５）が設けられた保護プレート（図１の９）とを含むことを特徴とする。
【０００８】
請求項２に係る発明の折り畳み式携帯電話用スクリーン汚れ防止装置は、ボタンサイド（図１の６）と、ディスプレイサイド（図１の２）と、前記ボタンサイドおよびディスプレイサイドを開閉可能に連結するヒンジ（図１の４）と、このヒンジの中心軸と同軸に軸支され前記ボタンサイドの操作面（図１の１１）および前記ディスプレイサイドの表示面（図１の１０）の間に配置され前記操作面に設けられたボタン（図１の５）に対応して開口部（図１の２１）が設けられた保護プレート（図１の９）と、この保護プレートの前記表示面の側の面の前記表示面に設けられたスクリーン（図１の３）以外の部分に対応する位置に設けられたディスプレイサイド側クッション（図１の７）と、前記保護プレートの前記操作面の側の面に設けられたボタンサイド側クッション（図１の７）とを含むことを特徴とする。
【０００９】
請求項３に係る発明の折り畳み式携帯電話用スクリーン汚れ防止装置は、ボタンサイド（図１の６）と、ディスプレイサイド（図１の２）と、前記ボタンサイドおよびディスプレイサイドを開閉可能に連結するヒンジ（図１の４）と、このヒンジに取り外し可能に取り付けられて前記ヒンジの中心軸と同軸に軸支され前記ボタンサイドの操作面（図１の１１）および前記ディスプレイサイドの表示面（図１の１０）の間に配置され前記操作面に設けられたボタン（図１の５）に対応して開口部（図１の２１）が設けられた保護プレート（図１の９）とを含むことを特徴とする。
【００１０】
請求項４に係る発明の折り畳み式携帯電話用スクリーン汚れ防止装置は、ボタンサイド（図１の６）と、ディスプレイサイド（図１の２）と、前記ボタンサイドおよびディスプレイサイドを開閉可能に連結するヒンジ（図１の４）と、このヒンジの中心軸と同軸に軸支され前記ボタンサイドの操作面（図１の１１）および前記ディスプレイサイドの表示面（図１の１０）の間に配置され前記操作面に設けられたボタン（図１の５）に対応して開口部（図１の２１）が設けられた保護プレート（図１の９）と、この保護プレートを前記表示面（または前記操作面）に押し付けるように付勢するばねと、前記保護プレートを前記操作面（または前記表示面）に接する位置で固定する係止手段（図５の１７、１９）とを含むことを特徴とする。
【００１１】
請求項５に係る発明の折り畳み式携帯電話用スクリーン汚れ防止装置は、ボタンサイド（図１の６）と、ディスプレイサイド（図１の２）と、前記ボタンサイドおよびディスプレイサイドを開閉可能に連結するヒンジ（図１の４）と、このヒンジの中心軸と同軸に軸支され前記ボタンサイドの操作面（図１の１１）および前記ディスプレイサイドの表示面（図１の１０）の間に配置され前記操作面に設けられたボタン（図１の５）に対応して開口部（図１の２１）が設けられた保護プレート（図１の９）と、この保護プレートを前記ヒンジを中心として回転駆動するモータとを含むことを特徴とする。
【００１２】
請求項６に係る発明の折り畳み式携帯電話用スクリーン汚れ防止装置は、ボタンサイド（図１の６）と、ディスプレイサイド（図１の２）と、前記ボタンサイドおよびディスプレイサイドを開閉可能に連結するヒンジ（図１の４）と、このヒンジの中心軸と同軸に軸支され前記ボタンサイドの操作面（図１の１１）および前記ディスプレイサイドの表示面（図１の１０）の間に配置され前記操作面に設けられたボタン（図１の５）に対応して開口部（図１の２１）が設けられた保護プレート（図１の９）と、この保護プレートを前記表示面に接する位置で固定するボタンサイド側磁石手段および前記操作面に接する位置で固定する操作面側磁石手段の双方またはいずれかとを含むことを特徴とする。
【００１３】
請求項７に係る発明の折り畳み式携帯電話用スクリーン汚れ防止装置は、ボタンサイド（図１の６）と、ディスプレイサイド（図１の２）と、前記ボタンサイドおよびディスプレイサイドを開閉可能に連結するヒンジ（図１の４）と、このヒンジの中心軸と同軸に軸支され前記ボタンサイドの操作面（図１の１１）および前記ディスプレイサイドの表示面（図１の１０）の間に配置され少なくとも前記ヒンジの中心軸に軸支される部分および外周を含む剛性部ならびに少なくとも前記操作面に設けられたボタン（図１の５）に対応する部分を含む柔軟部を有する保護プレート（図１の９）とを備えたことを特徴とする。
【００１４】
請求項８に係る発明は、請求項１〜７のいずれかに係る発明の折り畳み式携帯電話用スクリーン汚れ防止装置であって、前記保護プレートの少なくとも前記表示面に設けられたスクリーンに対応する部分は透明であることを特徴とする。
【００１５】
請求項９の発明は、請求項１〜８のいずれかに係る発明の折り畳み式携帯電話用スクリーン汚れ防止装置の使用方法であって、前記ボタンサイドおよび前期ディスプレイサイドを相互に開き、前記ボタンサイドまたは前記ディスプレイサイドに設けられたスピーカ（図１の１５）およびマイクロフォン（図１の１６）を用いて通話するときは前記保護プレートを前記表示面に接して位置させ、前記スクリーンを見るときは前記保護プレートを前記操作面に接して位置させることを特徴とする。
【００１６】
【発明の実施の形態】
次に、本発明の実施の形態について図面を参照して詳細に説明する。
【００１７】
図１は、本発明の実施の形態のスクリーン汚れ防止装置が設けられた折り畳み式携帯電話１の開いた状態の分解斜視図である。
【００１８】
折り畳み式携帯電話１は、ディスプレイサイド２およびボタンサイド６がそれぞれの表示面１０および操作面１１を内側として互いに開閉可能なようにヒンジ４により連結されている。表示面１０には、スクリーン３が設けられ、操作面１１には、複数のボタン５が設けられている。
【００１９】
保護プレート９は、表示面１０および操作面１１とほぼ同じ形状で、ヒンジ４に同軸に軸支されて表示面１０および操作面１１の間に配置されている。すなわち、保護プレート９は、ヒンジ４への取り付け端の両側に突出して設けた一対の取り付け部１２の中心に設けた一対の突起１３をヒンジ４の両側に設けた一対の孔１４に嵌合させている。しかも、取り付け部１２は、弾性により力を加えれば外側へ広げることができ、突起１３と孔１４との嵌合、取り外しができ、容易に保護プレート９をヒンジ４に対し脱着できる。
【００２０】
図２は、図１に示す折り畳み式携帯電話１の開いた状態の側面図で、保護プレート９は、回転して表示面１０および操作面１１の間を行き来できることを示している。
【００２１】
保護プレート９の先端部の両面にクッション７が設けられ、保護プレート９が表示面１０または操作面１１に当接する時の衝撃を和らげ、保護プレート９が表示面１０または操作面１１に接するとき（厳密には、保護プレート９自体が表示面１０または操作面１１に直に接するのではないが、クッション７が表示面１０または操作面１１に接し、保護プレート９の面が表示面１０または操作面１１にもっとも近接させられたとき）も、それらとの間に隙間が確保されるようにし、保護プレート９が直接、接触して表示面１０または操作面１１に損傷を与えないようにしている。また、この隙間を確保することにより、保護プレート９に付着した汚れが転写されて表示面１０または操作面１１が汚されることを防ぐことができる
図４は、折り畳み式携帯電話１を開き保護プレート９が表示面１０に接している状態の表示面１０の真上から見た平面図である。保護プレート９には、図１に示すようにボタン５に対応して複数の開口部２１が設けられ、保護プレート９を操作面１１に接しさせたときにボタン５は、保護プレート９より高く突出する。また、保護プレート９には、表示面１０に設けられたスピーカ１５および操作面１１に設けられたマイクロフォン１６に対応しても小孔２２が設けられている。
【００２２】
また、保護プレート９の先端には、ディスプレイサイド２の先端およびボタンサイド６の先端よりも外側に突出する先端突出部８が設けられている。ユーザーが折り畳み式携帯電話１を通話やＥメール（Ｅ−ｍａｉｌ）の作成、確認等の理由で開く際、ユーザーは先端突出部８を利用することができる。
【００２３】
図３は、図１に示す折り畳み式形態電話１に設けられたスクリーン汚れ防止装置の使用方法を動作順に示す図である。
【００２４】
図３（ａ）は、折り畳み式携帯電話１を閉じた状態の側面図である。この状態から通話しようとするときは、図３（ｂ）に示すように指で先端突出部８を持ち上げることにより、保護プレート９と共にディスプレイサイド２も持ち上げられて図３（ｃ）に示すように開いた状態になり、通話することができる。この図３（ｃ）に示す状態では、スクリーン３は勿論表示面１０が保護プレート９に覆われて汗、肌に塗られた化粧剤などから汚されないようになり、その他、外部の物との接触が防止されて保護される。
【００２５】
また、Ｅメールやインターネット（Ｉｎｔｅｒｎｅｔ）等を利用する場合は、図３（ｄ）に示すように保護プレート９の先端突出部８を指で押え、ディスプレイサイド２だけを持ち上げると保護プレート９はボタンサイド６上に留まり、図３（ｅ）に示す状態でユーザーは、スクリーン３の表示を見ながらボタン５の操作をすることができる。
【００２６】
通話の終了時またはＥメールやインターネットの利用の終了時には、ディスプレイサイド２を持って閉じるだけで、図３（ａ）に示すように保護プレート９はディスプレイサイド２とボタンサイド６の間に収まる。
【００２７】
保護プレート９が汚れてしまった際は、保護プレート９を折り畳み式携帯電話１のヒンジ４から取り外し、水などで洗うことができるため、保護プレート９も外観上および衛生面上、常に清潔に保つことができる。また、保護プレート９が破損したときは、新たなものに交換することもできる。
【００２８】
保護プレート９の材質としては、金属、プラスチックやこれらを複合したものなど、特に制約はない。しかし、アクリル板等の透明度の高いものを用いれば、保護プレート９が表示面１０上にある状態でも、スクリーン３上のインターネットやＥメールなどの画面を見ながらの操作も、保護プレート９を透して画面を見ることができるため、保護プレート９をボタンサイド６の側に移動するという手間を省くことができる。また、スクリーン３に対応する部分のみを透明にしてもよい。
【００２９】
また、開口部２１を弾性のある膜で覆えば、保護プレート９を表示面１０上に置いたときに表示面１０をより完全に保護でき、しかも保護プレート９を操作面１１上に置いたときは、開口部２１を覆う弾性膜を介してボタン５を押して操作することができる。このように弾性膜を利用する場合は、ボタン５ごとに開口部２１を設けるのでなくて保護プレート９の外周は合成を持たせ、ボタン５がある領域全体を１つの開口部とし、その開口部全体を弾性膜で覆うようにすることもできる。このような弾性膜は、例えば保護プレート９にプラスチックフィルムを貼り付けることにより、または保護プレート９と共にプラスチックで一体成型することなどにより得られる。
【００３０】
クッション７は、衝撃を緩和するために例えばゴムを用いることもできるが、保護プレート９と一体に、しかも保護プレート９の弾性が働くように成型することもできる。なお、クッション７が当接する部分が十分な強度のある筐体である場合は、クッション７に弾性が特に要求されることはない。また、クッション７は図１等に示すように保護プレート９の両面それぞれに１つずつ設けることには限られず、スクリーン３の周辺やボタン５の間等に複数個を設けるようにすることもできるし、保護プレート９の周縁に沿って凸条からなるクッションを額縁状に設けることもできる。
【００３１】
なお、ヒンジ４に設けた捻りばねにより保護プレート９に常に表示面１０に押し付けられる回転力を付勢しておき、通常は図３（ｂ）および（ｃ）のように保護プレート９が表示面１０に固定されるようになるが、保護プレート９に設けた係止部をボタンサイド６に設けた係止受け部に係止させれば図３（ｄ）および（ｅ）のように保護プレート９を操作面１１上に固定させるようにすることもできる。
【００３２】
例えば、図５に示すように保護プレート９に鉤状の係止部１７を設け、ボタンサイド６の筐体内面に板ばね１８を固定し、ボタンサイド６の筐体に設けた穴に臨む板ばね１８の先端に鉤状の係止受け部１９を設け、保護プレート９が操作面１１に接しているときは、係止部１７が係止受け部１９に系止されるように、これらの位置を設定しておく。
【００３３】
板ばね１８に取り付けられ先端がボタンサイド６の筐体に設けた穴から外に突出したレバー２０を押すと係止部１７が係止受け部１９から開放されて保護プレート９が表示面１０側へ回転移動する。保護プレート９を操作面１１へ押し付けると係止部１７の側面および係止受け部１９の側面に設けた傾斜面が当接して、一旦、係止受け部１９を係止部１７から逸れる方向に退避させた後に係止部１７が係止受け部１９に係止され、保護プレート９が操作面１１上に固定される。
【００３４】
これとは逆に、ヒンジ４に設けた捻りばねにより保護プレート９に常に操作面１１に押し付けられる回転力を付勢しておき、通常は図３（ｄ）および（ｅ）のように保護プレート９が操作面１１に固定されるようになるが、保護プレート９に設けた係止部をディスプレイサイド２に設けた係止受け部に係止させれば図３（ｂ）および（ｃ）のように保護プレート９を表示面１０上に固定させるようにすることもできる。
【００３５】
また、クッション７を磁石とし、ディスプレイサイド２およびボタンサイド６の少なくともクッション７に対応する部分に磁性体を設け、磁力により保護プレート９を表示面１０または操作面１１上に固定するようにすることもできる。
【００３６】
本発明の他の実施の形態の折り畳み式携帯電話用スクリーン汚れ防止装置は、基本的構成は図１に示したものと同一であるが、保護プレート９を回転させるモータをヒンジ４等に設け、このモータを駆動制御するスイッチをボタンサイド６等に設けている。従って、本実施の形態によれば、折り畳み式携帯電話を片手で持ち、指で当該スイッチを操作することにより、片手で保護プレート９を表示面１０および操作面１１の間で移動させることができる。
【００３７】
【発明の効果】
第１の効果は、折り畳み式携帯電話に保護プレートが加えられているので、通話時に携帯電話を把持する手指や顔の肌とスクリーンの間に保護プレートを持って来ることで、スクリーンに汗や化粧品が付着することによるスクリーンの汚れ、または損傷を防ぐことができることである。
【００３８】
第２の効果は、保護プレートが折り畳み式携帯電話のヒンジで回転自在に固定され、ディスプレイサイドとボタンサイドを自由に行き来可能であるため、Ｅメールの利用でスクリーンを見るときは、スクリーン上からほごプレートを退避させることができることである。尚且つ、取り外し可能とすることができるため、保護プレートを折り畳み式携帯電話から取り外して掃除し、清潔に保つことができる。
【００３９】
第３の効果は、折り畳み式携帯電話が閉状態に保護プレートの先端が折り畳み式携帯電話の外周より突出しているようにできるため、開状態にする際に、その先端を指で動かすことにより保護プレートをディスプレイサイドに置くかボタンサイドに置くかを容易に操作することができることである。
【図面の簡単な説明】
【図１】本発明の実施の形態のスクリーン汚れ防止装置が設けられた折り畳み式携帯電話１の開いた状態の分解斜視図である。
【図２】図１に示す折り畳み式携帯電話１の開いた状態の側面図である。
【図３】図１に示す折り畳み式形態電話１に設けられたスクリーン汚れ防止装置の使用方法を動作順に示す図である。
【図４】図１に示す折り畳み式携帯電話１を開き、保護プレート９が表示面１０に接している状態の表示面の真上から見た平面図である。
【図５】図１に示す折り畳み式携帯電話１に保護プレート９を操作面１１上に固定するための係止部１７および係止受け部１９を設けた場合のこれらを示すためのボタンサイド６の先端部分の断面図である。
【符号の説明】
１    折り畳み式携帯電話
２    ディスプレイサイド
３    スクリーン
４    ヒンジ
５    ボタン
６    ボタンサイド
７    クッション
８    先端突出部
９    保護プレート
１０    表示面
１１    操作面
１２    取り付け部
１３    突起
１４    孔
１５    スピーカ
１６    マイクロフォン
１７    係止部
１８    板ばね
１９    係止受け部
２０    レバー
２１    開口部
２２    小孔
【図１】
2004241890.tif 000003
【図２】
2004241890.tif 000004
【図３】
2004241890.tif 000005
【図４】
2004241890.tif 000006
【図５】
2004241890.tif 000007